(57)【要約】  【課題】  組み立てが容易であると共に、分解時に部品を紛失したり、使用中にパネルが連結部材から外れる心配の無いパネル式組立ケースを提供する。  【解決手段】  複数枚の側面パネルと１枚の底面パネルから成り、連結部材によりパネルを連結することによって組み立てられるパネル式組立ケースにおいて、側面パネル１１、１２を連結するための連結部材を、凹部２５または凸部２６を持つ二つの部材２１、２２の組み合わせとする。両部材は、それぞれパネルを嵌挿するための嵌溝２３、２４を備えており、それぞれに側面パネル１１、１２を嵌挿した凹部材２１と凸部材２２を結合させることによって、２枚の側面パネル１１、１２を連結する。【選択図】  図３
2005178880.tif 000002
【特許請求の範囲】
【請求項１】
複数枚の側面パネルと１枚の底面パネルから成り、連結部材によりパネルを連結することによって組み立てられるパネル式組立ケースにおいて、
側面パネルを連結するための連結部材が、第１の側面パネルを嵌挿するための一本の嵌溝と、パネルの嵌挿方向に対して一定の角度に設けられた凸部とを備えた凸部材と、第２の側面パネルを嵌挿するための一本の嵌溝と、パネルの嵌挿方向に対し一定の角度に設けられ、前記凸部材の凸部を受容するための凹部を備えた凹部材から成り、パネルを嵌挿した前記凸部材と凹部材を結合させることによって、２枚の側面パネルを連結することを特徴とするパネル式組立ケース。
【請求項２】
底面パネルと側面パネルを連結するための連結部材が、底面パネルを嵌挿するための嵌溝を備えたＦ型部材と、側面パネルを嵌挿するための嵌溝とＦ型部材を嵌挿するための嵌溝とを備えたＷ型部材から成り、底面パネルを嵌挿したＦ型部材と側面パネルを嵌挿したＷ型部材とを結合させることによって、底面パネルと側面パネルを連結することを特徴とする請求項１に記載のパネル式組立ケース。
【請求項３】
ケースの各コーナーをキャップによって固定することを特徴とする請求項１又は２に記載のパネル式組立ケース。
【請求項４】
上記連結部材がプラスチックから成り、押出成形によって成形されることを特徴とする請求項１〜３のいずれかに記載のパネル式組立ケース。
【発明の詳細な説明】
【技術分野】
【０００１】
本発明は、連結部材でパネルを連結することによって形成されるパネル式組立ケースに関するものである。
【背景技術】
【０００２】
従来、収納などに用いられる箱型のケースにおいて、使用しない時はコンパクトに収納できるよう組立式としたものが知られている。このような組立式のケースとして、連結部材によりパネルを連結する構造のものが提案されており、例えば特許文献１には箱の側面を形成する４枚のパネルを４本の折角枠部によって連結する構造の組立ケースが記載されている。この折角枠部は断面がＬ字型になるよう形成されており、両側辺に設けられた嵌溝に、隣接するパネルの端縁を嵌挿することにより、２枚のパネルを直角に連結することができる。
【０００３】
しかし、このような構造の組立ケースは、分解した状態では連結部材とパネルが別個になっており、組み立てに手間が掛かっていた。また、分解して保管している間に部品を紛失する可能性が高かった。更に、連結部材にパネルを嵌挿するだけでは、強い力が加わった際に、連結部材からパネルが外れる場合があるため、連結部材とパネルを接着剤などで固定する必要があるが、この場合、後で分解できなくなるという問題があった、
【特許文献１】実登第3086032号（[0009],図2）
【発明の開示】
【発明が解決しようとする課題】
【０００４】
本発明はこのような問題を鑑みて成されたものであり、その目的とするところは、組み立てが容易且つ、保管中に部品を紛失したり、使用中に連結部材からパネルが外れたりすることのない、パネル式組立ケースを提供することにある。
【課題を解決するための手段】
【０００５】
上記課題を解決するために成された本発明に係るパネル式組立ケースは、複数枚の側面パネルと１枚の底面パネルから成り、連結部材によりパネルを連結することによって組み立てられるパネル式組立ケースにおいて、
側面パネルを連結するための連結部材が、第１の側面パネルを嵌挿するための一本の嵌溝と、パネルの嵌挿方向に対して一定の角度に設けられた凸部とを備えた凸部材と、第２の側面パネルを嵌挿するための一本の嵌溝と、パネルの嵌挿方向に対し一定の角度に設けられ、前記凸部材の凸部を受容するための凹部を備えた凹部材から成り、パネルを嵌挿した前記凸部材と凹部材を結合させることによって、２枚の側面パネルを連結することを特徴とする。
【発明の効果】
【０００６】
本発明では、凹部材と凸部材という１対の連結部材を組み合わせる構造としたことにより、予めパネルの側辺に連結部材を固定しておくことが可能となり、組立作業を簡略化できると共に、分解時に部品を紛失する可能性を減らすことができ、更に、使用中にパネルが連結部材から外れる心配が無くなる。また、連結部材を押出成形によって製造することにより、製造コストを下げることができると共に、成形後の任意の段階で連結部材の長さを調節することができ、連結部材の長さごとに金型を用意する必要が無い。
【発明を実施するための最良の形態】
【０００７】
本発明において、側面パネルを連結するための連結部材は例えば図２のような凹部材と凸部材の組み合わせによって成る。凹部材及び凸部材はそれぞれ側面パネルを嵌挿するための嵌溝と、パネルの嵌挿方向に対して一定の角度に設けられた凹部あるいは凸部を備えており、凹部と凸部を結合させることにより、両部材に嵌挿された側面パネルが所定の角度に連結されるようになっている。凸部は、凹部から抜けることのないよう先端部が幅広になるよう形成し、凹部もそれに対応した形状とするか、あるいは凹部材と凸部材をビスなどで固定する。組み立ての際には、パネルを嵌挿した凹部材の凹部に、パネルを嵌挿した凸部材の凸部をはめ込むことによって２枚の側面パネルを連結する。
【０００８】
パネルの嵌挿方向に対する凹部又は凸部の形成角度を変えることにより、両部材によって連結される２枚の側面パネルの連結角度を変化させることができるため、本発明の組立ケースの形状は、四角形に限らず、三角形、五角形など任意の多角形とすることができる。
【０００９】
さらに、側面パネルと底面パネルの連結も、二つ一組の連結部材によって行うことが望ましい。側面−底面用の連結部材は図４のようなＦ型部材とＷ型部材の組み合わせによって成る。Ｗ型部材は側面パネル及びＦ型部材を嵌挿するための２つの嵌溝を備えている。Ｆ型部材はＦ字の２本の横辺の間に、底面パネルを嵌挿できるようになっており、縦辺の下部は、Ｗ型部材の嵌溝に嵌挿できるようになっている。組み立ての際には、底面パネルを嵌挿したＦ型部材の縦辺の下部を、側面パネルを嵌挿したＷ型部材の嵌溝に差し込むことによって、底面パネルと側面パネルを直角に連結する。
【００１０】
組み立て後は、上記のような連結部材の２つのパーツが互いに摺動するのを防ぐため、ケースのコーナー部分にキャップをはめたり、パーツ同士をビス止めする等して固定する。
【００１１】
また、上記連結部材は、プラスチックを材料とし、押出成形によって成形することが望ましい。押出成形は断面形状が同一の長尺物を連続的に成形することができるため、製造コストを下げることができる。更に、成形後に長さを調節することができるため、様々なサイズの製品を作る場合でも、連結部材の長さごとに金型を用意する必要が無い。
【００１２】
上記パネルは、硬質の素材であれば、紙、プラスチック、木、ＭＤＦ、ガラス等、どのような材料を用いてもよい。
【００１３】
本発明の組立ケースには、更にフタを設けても良い。フタは、ケースの上部にかぶせる形状のものとしても良いし、蝶番などによってケース本体と連結する構造とすることもできる。
【００１４】
また、ケースの開口部の周縁にあたる各側面パネルの上辺には、プラスチックから成る部材によって補強を施すことが望ましい。
【００１５】
本発明の組み立てケースは、図７に示すように開口面をケースの側方に向けた構造としても良い。この場合には、ケースの左右側面及び上下面の各パネルを上記の凹部材と凸部材によって連結する。更に、これらのパネルと開口面に対向する面のパネルとを、上記Ｆ型部材及びＷ型部材によって連結することが望ましい。このような側方に開口面を有するケースの場合、ケースの内部に棚板７１を設けることもできる。また、このような構成の組み立てケースには、蝶番式の扉７２を設けることが望ましい。扉７２は、一枚の扉体から成るものとしても、２枚の扉体から成る観音開き式の扉としても良い。
【実施例】
【００１６】
以下、本発明の実施例を図面に基づいて説明する。図１は本実施例のパネル式組立ケースの斜視図である。組立ケースは図１のように、１枚の底面パネルと４枚の側面パネルから成り、各パネルは、２本１組からなる連結部材によって連結される。
側面パネルを連結するための連結部材は図３のような凹部材２１と凸部材の２２組み合わせによって成る。凹部材２１及び凸部材２２は図３(a)、(b)のように、それぞれ側面パネル１１、１２を嵌挿するための嵌溝２３、２４と、パネルの嵌挿方向に対して４５°の方向に設けられた凹部２５あるいは凸部２６を備えており、凹部２５と凸部２６を結合させることにより、両部材に嵌挿された側面パネル１１、１２が垂直に連結されるようになっている。凸部２６の先端は、凹部２５から抜けることのないようＴ字型に形成されており、凹部もそれに対応した形状となっている。
【００１７】
側面−底面用の連結部材は図４のようなＦ型部材３１とＷ型部材３２の組み合わせによって成る。Ｗ型部材３２は側面パネル１１又は１２及びＦ型部材３１を嵌挿するための２つの嵌溝３４、３６を備えている。Ｆ型部材３１はＦ字の２本の横辺によって形成される嵌溝３３に、底面パネル１０を嵌挿できるようになっており、Ｆ字の縦辺の下部３５は、Ｗ型部材の嵌溝３６に嵌挿できるようになっている。
【００１８】
側面パネル１１、１２の上辺には、補強のため、コの字型部材５１を取り付ける。コの字型部材５１には、側面パネル１１、１２を嵌挿するための嵌溝５２が設けられている。
【００１９】
組み立て後に、各連結部材の２本のパーツが互いに摺動することを防ぐため、ケースの各コーナーをＬ字型のエンドキャップ６１によって固定する。エンドキャップ６１の裏側は、図６(b)のようにケースの角部分に対応した形状をしている。
【００２０】
上記パーツはいずれもプラスチックからなり、凹部材２１や凸部材２２、Ｆ型部材３１、Ｗ型部材３２、及びコの字型部材５１は、押出成形によって成形される。
【００２１】
組み立ての際には、側面パネル１１を嵌挿した凹部材２１の凹部２５に、側面パネル１２を嵌挿した凸部材２２の凸部２６をスライドさせてはめ込むことによって２枚の側面パネル１１、１２を連結し、底面パネル１０を嵌挿したＦ型部材３１の縦辺の下部３５を、側面パネル１１又は１２を嵌挿したＷ型部材３２の嵌溝３６に差し込むことによって、底面パネル１０と側面パネル１１又は１２を連結する。箱状に組み上がったら各コーナーにエンドキャップ６１を嵌挿する。エンドキャップ６１には、Ｗ型部材３２及びコの字型部材５１の窪み３７、５３に対応した突起６２が設けられており、外れにくくなっている。
【００２２】
なお、エンドキャップは上記のように、ケースの各コーナーごとに設けるものの他に、複数のコーナに対するエンドキャップを一体に形成したものとしても良い。
【００２３】
側面パネル及び底面パネルと各連結部材は、製造段階において接着剤、あるいは超音波接着により固定しておく。これにより、組み立ての際の工程を減らすことができ、組み立てに不慣れなものであっても容易に組み立てることができると共に、分解して保管している間に部品が紛失することを防ぐことができる。また、各連結部材は２本のパーツに分かれているため、パネルと連結部材を接着剤で固定しても、非使用時には分解して収納しておくことができる。 
【図面の簡単な説明】
【００２４】
【図１】本発明のパネル式組立ケースの構造を示す斜視図。(a)開口部を上に向けた状態(b)開口部を下に向けた状態
【図２】本発明に係るパネル式組立ケースの側面パネルの連結形式を示す概念図。
【図３】凹部材と凸部材、及び両部材による側面パネルの連結形式を示す断面図。
【図４】Ｆ型部材とＷ型部材、及び両部材による側面パネルと底面パネルの連結形式を示す断面図。
【図５】コの字型部材の断面図。
【図６】エンドキャップの正面図(a)、背面図(b)、及び側面図(c)。
【図７】本発明のパネル式組み立てケースの別の実施形態を示す斜視図。
【符号の説明】
【００２５】
１０…底面パネル
１１、１２…側面パネル
２１…凹部材
２２…凸部材
２３、２４、３３、３４、３６、５２…嵌溝
２５…凹部
２６…凸部
３１…Ｆ型部材
３２…Ｗ型部材
５１…コの字型部材
６１…エンドキャップ
７１…棚板
７２…扉
【図１】
2005178880.tif 000003
【図２】
2005178880.tif 000004
【図３】
2005178880.tif 000005
【図４】
2005178880.tif 000006
【図５】
2005178880.tif 000007
【図６】
2005178880.tif 000008
【図７】
2005178880.tif 000009